【手続補正書】
【提出日】平成20年6月4日(2008.6.4)
【手続補正１】
【補正対象書類名】明細書
【補正対象項目名】特許請求の範囲
【補正方法】変更
【補正の内容】
【特許請求の範囲】
【請求項１】  クライアント・デバイス上に表示するためクライアントに提供する文書を含む機械読み取り可能ファイルを受信するステップであって、前記ファイル内の文書の各々の編成が情報の階層で表現されている、ステップと、
前記情報の階層からサブ文書を導出するステップであって、前記サブ文書の各々は、ハイパーテキスト送信プロトコルを用いて前記クライアントに別個に提供することを可能にするフォーマットで表現され、前記サブ文書の少なくとも１つが、当該サブ文書を前記サブ文書の別の１つにリンクすることを可能にする情報を含む、ステップと、
を備えた方法。
【請求項２】  請求項１記載の方法において、前記言語が拡張可能マークアップ言語（ＸＭＬ）を含む、方法。
【請求項３】  請求項１記載の方法において、前記導出するステップが、前記階層を調べ、セグメントから前記サブ文書を組み立てることを含み、前記サブ文書の少なくとも一部は、各々、１つよりも多い前記セグメントから組み立てられる、方法。
【請求項４】  請求項３記載の方法において、前記組み立てが、前記サブ文書のそれぞれのサイズのバランスを取るように作用するアルゴリズムに従う、方法。
【請求項５】  請求項３記載の方法において、前記組み立てが、前記階層において共通の親を有するセグメントから、サブ文書の各々を組み立てることを優先するように作用するアルゴリズムに従う、方法。
【請求項６】  請求項３記載の方法において、前記組み立てが、前記階層におけるノードの複製を必要としないセグメントから、サブ文書の各々を組み立てることを優先するように作用するアルゴリズムに従う、方法。
【請求項７】  請求項１記載の方法において、前記ファイルに関連する原始サーバから前記ファイルを受信する、方法。
【請求項８】  請求項７記載の方法において、前記ファイルが、前記文書のセグメントを階層状に編成しない言語で表現され、前記サブ文書を導出するステップは、最初に、前記文書のセグメントを階層状に編成する言語に、前記ファイルを変換することを含む、方法。
【請求項９】  請求項１記載の方法であって、更に、クライアントによる要求に応じて、前記サブ文書を個別に前記クライアントに提供するステップを含む、方法。
【請求項１０】  請求項９記載の方法において、ハイパーテキスト送信プロトコルを用いて前記サブ文書をクライアントに提供する、方法。
【請求項１１】  請求項９記載の方法において、前記サブ文書の要求は、前記クライアントによって、前記サブ文書の別のものにリンクすることを当該クライアントに可能にする前記含まれた情報に基づいて行われる、方法。
【請求項１２】  請求項１記載の方法であって、更に、
前記文書の一部であって前記文書の残りから別個に表示される前記一部を識別するステップを含み、
前記別個に表示される文書の前記一部は、該一部が現れるはずのサブ文書から割愛され、前記別個に表示される文書の前記一部は、少なくとも１つの対応するサブ文書に含まれ、
前記一部が現れるはずの前記サブ文書を前記クライアント・デバイスに提供するとき、グラフィカル・デバイスを埋め込み、該グラフィカル・デバイスは、前記ユーザが起動して、前記別個に表示されるべき文書の前記一部を含むサブ文書を検索可能とした、方法。
【請求項１３】  原始サーバから、クライアント・デバイス上での表示のためにクライアントに提供される文書を含む機械読み取り可能ファイルを受信するステップであって、前記ファイルが、前記文書のセグメントを階層状に編成しない言語で表現されている、ステップと、
前記文書のセグメントを階層状に編成する言語に、前記ファイルを変換するステップと、
前記階層を調べ、前記セグメントからサブ文書を組み立てるステップであって、前記サブ文書の少なくとも一部は、各々が、１つよりも多い前記セグメントから組み立てられ、前記組み立てが、（ａ）前記サブ文書のそれぞれのサイズのバランスを取る、（ｂ）前記階層において共通の親を有するセグメントから、サブ文書の各々を組み立てることを優先する、および（ｃ）前記階層におけるノードの複製を必要としないセグメントから、サブ文書の各々を組み立てる、ように作用するアルゴリズムに従う、ステップと、
ハイパーテキスト送信プロトコルを用いて、前記クライアントに個別に提供可能とするフォーマットで、前記サブ文書の各々を表現するステップであって、前記サブ文書の少なくとも１つが、当該１つのサブ文書を前記サブ文書の別の１つにリンクすることを可能にする情報を含む、ステップと、
前記クライアントによる要求に応じて、前記サブ文書の別のものにリンクすることを当該クライアントに可能にする前記含まれた情報に基づいて、前記サブ文書を前記クライアントに個々に提供するステップであって、ハイパーテキスト送信プロトコルを用いて当該提供を行う、ステップと、
を備えた方法。
【請求項１４】  クライアントに提供するために記憶媒体上に保持された機械読み取り可能文書であって、該文書が１組のサブ文書として編成されており、前記サブ文書の各々が、当該サブ文書を前記サブ文書の別のものにリンクすることを可能にする情報を含み、前記サブ文書の各々が、前記文書の階層的表現の一部である、前記文書のセグメントの集合体を含む、前記サブ文書がほぼ同じサイズである、機械読み取り可能文書。
【請求項１５】  請求項１４記載の文書において、前記サブ文書をリンクすることを可能にする情報がＵＲＬを含む、文書。
【請求項１６】  請求項１４記載の方法において、前記階層的表現が拡張可能マークアップ言語（ＸＭＬ）を含む、方法。
【請求項１７】  クライアントから、クライアント・デバイス上に表示する文書の要求を受信するステップと、
前記要求文書の全て未満を表すサブ文書を別個に前記クライアントに提供するステップであって、各サブ文書が該サブ文書を少なくとも１つの別のサブ文書にリンクする情報を含む、ステップと、
前記クライアントから、前記他のサブ文書へのリンクの呼び出しを受信するステップと、
前記クライアント・デバイスに前記別のサブ文書を別個に提供するステップと、
を備えた方法。
【請求項１８】  請求項１７記載の方法において、ハイパーテキスト送信プロトコルを用いて前記サブ文書を前記クライアントに提供する、方法。
【請求項１９】  請求項１７記載の方法において、前記サブ文書が本質的に同じ長さである、方法。
【請求項２０】  請求項１７記載の方法において、前記サブ文書が、前記クライアント・デバイス上において、更に切り捨てることなく、表示可能な長さを有する、方法。
【請求項２１】  クライアント・デバイスにおいて、該クライアント・デバイス上に表示するために、大きな文書のサブ文書をサーバから受信するステップと、
前記サブ文書を前記クライアント・デバイス上に表示するステップと、
前記クライアント・デバイスにおいて、前記大きな文書の別のサブ文書を表示させるユーザの要求を受信するステップと、
前記サーバから、前記別のサブ文書を前記クライアント・デバイスにおいて別個に受信するステップと、
前記別の文書を前記クライアント・デバイス上に表示するステップと、
を備え、前記サブ文書が実質的に同じ長さである、方法。
【請求項２２】  請求項２１記載の方法において、前記サブ文書をハイパーテキスト送信プロトコルで表現した、方法。
【請求項２３】  請求項２１記載の方法において、前記ユーザの要求をＵＲＬとして表現した、方法。
【請求項２４】  請求項２１記載の方法において、前記各サブ文書の全てを前記クライアント・デバイス上で一度に表示する、方法。
【請求項２５】  請求項２１記載の方法において、前記各サブ文書の全て未満を前記クライアント・デバイス上で一度に表示する、方法。
【請求項２６】  クライアント・デバイス上で文書のサブ文書を表示するステップと、
前記サブ文書と共にアイコンを表示するステップと、
前記アイコンの起動に応答して、サーバから前記文書の別のサブ文書を取り込み、該別のサブ文書を前記クライアント・デバイス上に表示するステップと、
を備え、前記サブ文書の各々が前記文書全体未満であり、前記サブ文書がほぼ同じサイズである、方法。
【請求項２７】  請求項２６記載の方法において、前記各サブ文書の一部のみを一度に表示する、方法。
【請求項２８】  請求項２７記載の方法であって、更に、前記文書を構成する一連のサブ文書において、現在表示されているサブ文書の位置の指標を表示するステップを含む、方法。
【請求項２９】  請求項２８記載の方法において、前記指標が、前記一連におけるサブ文書の総数と、前記一連における現在表示中の文書の位置とを含む、方法。
【請求項３０】  請求項１、１７、または２１記載の方法において、前記クライアント・デバイスからの前記文書の要求時において、前記文書から前記サブ文書を導出する、方法。
【請求項３１】  請求項３０記載の方法において、前記クライアント・デバイスの特性に基づいた方法で、前記サブ文書を導出する、方法。
【請求項３２】  請求項３１記載の方法において、前記クライアント・デバイスの特性は、前記クライアントが前記要求と共に提供する、方法。
【請求項３３】  請求項３２記載の方法において、前記特性が、前記クライアント・デバイスの表示能力を含む、方法。
【請求項３４】  請求項１、１７、または２１記載の方法において、前記クライアントが前記サーバからの前記文書を要求する前に、前記文書から前記サブ文書を導出する、方法。
【請求項３５】  請求項３４記載の方法において、異なる原始サーバからの異なる文書について、前記サブ文書を導出する、方法。
【請求項３６】  請求項１、１７、または２１記載の方法において、ワイヤレス通信ゲートウェイにおいて前記文書から前記サブ文書を導出する、方法。
【請求項３７】  クライアント・デバイス上での表示のためにクライアントに提供する文書を含む機械読み取り可能ファイルを受信し、前記ファイルからサブ文書を導出するように構成されたネットワーク・サーバを備え、前記サブ文書の各々が、ハイパーテキスト送信プロトコルを用いて前記クライアントに別個に供給可能にするフォーマットで表現されており、前記サブ文書の少なくとも１つは、当該１つを前記サブ文書の別の１つにリンクすることを可能にする情報を含む、装置。
【請求項３８】  クライアント・デバイス上での表示のためにクライアントに提供する文書を含む機械読み取り可能ファイルを受信する手段と、
前記ファイルからサブ文書を導出する手段であって、前記サブ文書の各々が、ハイパーテキスト送信プロトコルを用いて前記クライアントに別個に供給可能にするフォーマットで表現されており、前記サブ文書の少なくとも１つは、当該１つを前記サブ文書の別の１つにリンクすることを可能にする情報を含む、手段と、
を備えた装置。
【請求項３９】  機械読み取り可能媒体上に格納された機械読み取り可能プログラムであって、
クライアント・デバイス上での表示のためにクライアントに提供する文書を含む機械読み取り可能ファイルを受信し、
前記ファイルからサブ文書を導出し、前記サブ文書の各々が、ハイパーテキスト送信プロトコルを用いて前記クライアントに別個に供給可能にするフォーマットで表現されており、前記サブ文書の少なくとも１つが、当該１つを前記サブ文書の別の１つにリンクすることを可能にする情報を含む、
ように機械を構成可能な機械読み取り可能プログラム。
【請求項４０】  請求項７記載の方法において、前記ファイルが電子文書を備えた、方法。
【請求項４１】  請求項７記載の方法において、前記ファイルが電子メールを含む、方法。
【請求項４２】  請求項７記載の方法において、前記ファイルを前記原始サーバからウェブ・ページの形態で受信する、方法。